(57)【要約】【課題】  本考案は、枠部材の伸縮に対応して長さ調整できるカーテンを備えたカーテン付クローゼットを提供することを課題とする。【解決手段】  本考案は、下方部に対して上方部が上下動可能に構成された枠部材３と、前記枠部材３の一面を覆い且つ左右に開閉可能に設けられたカーテン２と、を有するカーテン付クローゼット１において、前記カーテン２が、前記枠部材３の上方部の一面を覆う上カーテン部２１と、前記枠部材３の下方部の一面を覆う下カーテン部２２と、を有し、前記上カーテン部２１と下カーテン部２２が、連結手段を介して、前記上カーテン部２１の下方部と前記下カーテン部２２の上方部が重ねられた状態で連結されており、前記連結手段により、前記上カーテン部２１の上端から前記下カーテン部２２の下端までの長さを変更可能である。【選択図】  図３
0003169846.tif 000002
【実用新案登録請求の範囲】
【請求項１】
下方部に対して上方部が上下動可能に構成された枠部材と、前記枠部材の上方部に設けられたカーテン取付部と、前記カーテン取付部に取り付けられ且つ前記枠部材の一面を覆うカーテンと、を有するカーテン付クローゼットにおいて、
前記カーテンが、前記枠部材の上方部の一面を覆う上カーテン部と、前記枠部材の下方部の一面を覆う下カーテン部と、を有し、
前記上カーテン部と下カーテン部が、連結手段を介して、前記上カーテン部の下方部と前記下カーテン部の上方部が重ねられた状態で連結されており、
前記連結手段により、前記上カーテン部の上端から前記下カーテン部の下端までの長さを変更可能であることを特徴とするカーテン付クローゼット。
【請求項２】
前記連結手段が、前記上カーテン部又は前記下カーテン部の何れか一方から延出された帯状体と、何れか他方のカーテン部に設けられ且つ前記帯状体が挿通される挿通部と、を有し、
前記帯状体の基端部又は先端部の何れか一方に、雄面ファスナー領域が設けられ、且つ、何れか他方の端部に雌面ファスナー領域が設けられ、
前記帯状体を前記挿通部に挿通した後に折り返し、且つ前記雄面ファスナー領域と前記雌面ファスナー領域を係合することにより、前記上カーテン部と前記下カーテン部が連結されている請求項１記載のカーテン付クローゼット。
【請求項３】
前記帯状体が、前記下カーテン部に設けられ、且つ、前記挿通部が、前記上カーテン部に設けられており、
前記帯状体が、前記下カーテン部の上端から上方向に延出され、且つ、前記挿通部が、前記上カーテン部の後面内に設けられている請求項２記載のカーテン付クローゼット。
【考案の詳細な説明】
【技術分野】
【０００１】
本考案は、カーテンの長さを上下方向に調節可能なカーテン付クローゼットに関する。
【背景技術】
【０００２】
従来、部屋の空きスペースなどに、衣服、バッグ、小物、ふとん等の物品を収納するため、簡易に組み立て可能なカーテン付クローゼットが知られている。
このようなクローゼットとしては、例えば、特開２００６−３４７００に開示されたものがある。この公報に開示されたカーテン付クローゼットは、左右に立設された前後一対の支柱からなる枠部材と、前記枠部材の前面を被覆し且つ左右に開閉可能なカーテンと、を有する。前記カーテンは、クローゼットに収納された物品を隠蔽するために設けられる。
【０００３】
前記カーテン付クローゼットに設けられたカーテンは、枠部材の前面上方部を被覆する上カーテン部と、枠部材の前面下方部を被覆する下カーテン部と、を有し、上カーテン部及び下カーテン部は互いに独立している。前記上カーテン部は、枠部材の上方部に設けられた上カーテン取付部に取り付けられており、前記下カーテン部は、枠部材の下方部に設けられた下カーテン取付部に取り付けられている。上カーテン部と下カーテン部は、それぞれ独立した別のカーテン取付部に取り付けられているため、各々のカーテン部をそれぞれ左右に開閉可能である。
また、枠部材を構成する支柱は、上方向に伸縮可能に構成されている。そのため、屋内の天井高に合わせて、枠部材を任意の高さに調整することができる。
【０００４】
しかしながら、上記従来のカーテン付クローゼットは、上カーテン部と下カーテン部をそれぞれ独立に開閉可能とするため、上カーテン取付部と下カーテン取付部をそれぞれ別個に設けなければならなかった。
そして、下カーテン取付部は、下カーテン部の長さ（丈）に合わせて、枠部材の上下方向中央部よりもやや上方位置において、左右方向に延びて設けられる。そのため、クローゼット内に物品を出し入れする際に、この下カーテン取付部が邪魔になるという問題があった。
この問題に対応するため、下カーテン部を設けず、枠部材の前面を所定長さの１枚のカーテンで被覆することが考えられる。しかしながら、この場合、枠部材を上下に伸縮させたときに、カーテンの下端部が床から大きく離れる又は床に垂れるという問題点がある。
【先行技術文献】
【特許文献】
【０００５】
【特許文献１】特開２００６−０３４７００
【考案の概要】
【考案が解決しようとする課題】
【０００６】
本考案は、上記問題点に鑑み、枠部材の伸縮に応じて丈を変更できるカーテンを備えた、カーテン付クローゼットを提供することを課題とする。
【課題を解決するための手段】
【０００７】
本考案のカーテン付クローゼットは、下方部に対して上方部が上下動可能に構成された枠部材と、前記枠部材の上方部に設けられたカーテン取付部と、前記カーテン取付部に取り付けられ且つ前記枠部材の一面を覆うカーテンと、を有するカーテン付クローゼットにおいて、前記カーテンが、前記枠部材の上方部の一面を覆う上カーテン部と、前記枠部材の下方部の一面を覆う下カーテン部と、を有し、前記上カーテン部と下カーテン部が、連結手段を介して、前記上カーテン部の下方部と前記下カーテン部の上方部が重ねられた状態で連結されており、前記連結手段により、前記上カーテン部の上端から前記下カーテン部の下端までの長さを変更可能である。
【０００８】
本考案の好ましいカーテン付クローゼットは、前記連結手段が、前記上カーテン部又は前記下カーテン部の何れか一方から延出された帯状体と、何れか他方のカーテン部に設けられ且つ前記帯状体が挿通される挿通部と、を有し、前記帯状体の基端部又は先端部の何れか一方に、雄面ファスナー領域が設けられ、且つ、何れか他方の端部に雌面ファスナー領域が設けられ、前記帯状体を前記挿通部に挿通した後に折り返し、且つ前記雄面ファスナー領域と前記雌面ファスナー領域を係合することにより、前記上カーテン部と前記下カーテン部が連結されている。
【０００９】
本考案の好ましいカーテン付クローゼットは、前記帯状体が、前記下カーテン部に設けられ、且つ、前記挿通部が、前記上カーテン部に設けられており、前記帯状体が、前記下カーテン部の上端から上方向に延出され、且つ、前記挿通部が、前記上カーテン部の後面内に設けられている。
【考案の効果】
【００１０】
本考案のカーテン付クローゼットは、上カーテン部と下カーテン部が連結手段を介して連結されているので、枠部材の一面を被覆できるカーテンを１つのカーテン取付部に取り付けることができる。
また、本考案のカーテン付クローゼットは、枠部材の高さの変更に応じてカーテンの丈（上カーテン部の上端から下カーテン部の下端までの長さ）を変更できるので、枠部材の一面をカーテンによって過不足なく覆うことができる。
従って、本考案によれば、枠部材の一面がカーテンによって良好に覆われたカーテン付クローゼットを提供できる。
【図面の簡単な説明】
【００１１】
【図１】本考案のカーテン付クローゼットの一実施形態を示す正面図。
【図２】同斜視図。
【図３】同使用状態図。ただし、一部のカーテンを二点鎖線で表している。
【図４】（ａ）は、同クローゼットの支柱を部分的に表した一部省略要部拡大側面図、（ｂ）は、その支柱を伸ばした状態を表した一部省略要部拡大側面図。
【図５】支柱の他の実施態様を示す一部省略要部拡大側面図。
【図６】枠部材を所定の長さとした同カーテン付クローゼットの参考正面図。上カーテン部と下カーテン部の重複領域に、複数のドットを付している。
【図７】図６のクローゼットについて、その枠部材の上方部を伸ばした状態を表した参考正面図。上カーテン部と下カーテン部の重複領域に、複数のドットを付している。
【図８】図６のクローゼットについて、その枠部材の上方部を伸ばし且つ連結手段によってカーテンの長さを調整した状態を表した参考正面図。上カーテン部と下カーテン部の重複領域に、複数のドットを付している。
【図９】（ａ）は、同クローゼットのカーテンの背面図、（ｂ）は、同カーテンを上カーテン部と下カーテン部に分離した状態を表した背面図。図９（ａ）において、上カーテン部と下カーテン部の重複領域に、複数のドットを付している。
【図１０】（ａ）は、同カーテンの帯状体を挿通部に挿通した状態を表した一部省略要部拡大斜視図であり、（ｂ）は、挿通部に挿通された帯状体を折り返し、帯状体を係合した状態を表した一部省略要部拡大斜視図である。
【図１１】本考案のカーテン付クローゼットのカーテンの他の実施形態について、上カーテン部と下カーテン部を分離した状態で表した背面図。
【図１２】本考案のカーテン付クローゼットのカーテンの更なる他の実施形態について、上カーテン部と下カーテン部を分離した状態で表した背面図。
【図１３】本考案のカーテン付クローゼットのカーテンの更なる他の実施形態について、上カーテン部と下カーテン部を分離した状態で表した背面図。
【図１４】本考案のカーテン付クローゼットのカーテンの更なる他の実施形態について、上カーテン部と下カーテン部を分離した状態で表した背面図。
【図１５】本考案のカーテン付クローゼットのカーテンの更なる他の実施形態について、上カーテン部と下カーテン部を分離した状態で表した上カーテンの背面図及び下カーテンの正面図。
【考案を実施するための形態】
【００１２】
以下、本考案を図面を参照しつつ説明する。
図１は、１つの実施形態に係るカーテン付クローゼットの正面図であり、図２は同斜視図である。また、図３は、左右のカーテンを開放した前記カーテン付クローゼットの斜視図である。
本考案のカーテン付クローゼット１は、下方部に対して上方部が上下動可能に構成された枠部材３と、前記枠部材３の上方部にカーテン取付部３５を介して取り付けられたカーテン２と、を有する。
【００１３】
前記枠部材３は、左右に立設された前後一対の支柱３１，３１と、前記一対の支柱３１，３１の前後の間隔を保持する複数の間隔保持部材３２と、を有する。
枠部材３には棚部３３が設けられている。棚部３３は、左右の間隔保持部材３２を架橋する複数本の棒状体から構成され、それら棒状体は、左右方向に延び且つ前後方向に並設されている。前記棚部３３の上には、物品を載置可能である。また、棚部３３の一部分には、棚部３３を支持するための補強部材３４が下方向に延出されている。前記補強部材３４の下端には、ネジ作用によって出退可能なアジャスター３７が設けられている。前記補強部材３４は、このアジャスター３７を介して、床面に立設される。
【００１４】
枠部材３の内部には、間隔保持部材３２の一部分と補強部材３４を架橋するように、左右方向に延びるハンガー棒３８が設けられている。前記ハンガー棒３８にハンガーを引っ掛けることで、衣類をクローゼットの収納空間部４に収納することができる（図３参照）。
また、枠部材３の上端部には、左右の支柱３１，３１を架橋するように、カーテン取付部３５が設けられている。カーテン取付部３５は、例えば、左右方向に延びる棒状体からなり、その両端部が左右の支柱３１，３１の上縦棒３１１にそれぞれ固定されている。このカーテン取付部３５に、複数の吊り具を介して、カーテン２が左右に移動可能に取り付けられている。
なお、本実施形態では、カーテン２によって、枠部材３の前面だけが被覆されているが、本考案は本実施形態に限定されず、枠部材３の側面及び／又は背面がカーテン２によって被覆されていても良い。
【００１５】
支柱３１は、図４（ａ）に示すように、それぞれ、中入れ式の２本１組の上縦棒３１１及び下縦棒３１２からなり、前記上縦棒３１１の一部が、下縦棒３１２の内側に出退可能に挿入されている。また、下縦棒３１２の上方部には、押圧止め具３１３が設けられている。前記押圧止め具３１３を介して、上縦棒３１１は、下縦棒３１２に対し、任意の位置で固定される。
押圧止め具３１３を緩めることによって、上縦棒３１１の固定を解除できる。図４（ｂ）に示すように、固定を解除した状態で、下縦棒３１２の内側に挿入されていた上縦棒３１１を引き出すことで、上縦棒３１１を上方向に伸ばすことができる。任意の位置まで引き出された上縦棒３１１は、押圧止め具３１３を締めることによってその位置に固定される。このようにして、上縦棒３１１を伸ばしたり縮めたりすることで、支柱３１の高さ（支柱３１の上下方向の長さ）を調整できる。
【００１６】
本実施形態では、複数（例えば、４本）の支柱３１の上縦棒３１１とそれらを連結するカーテン取付部３５が、枠部材３の上方部を構成している。
なお、上記棚部３３に代えて又はこれと併用して、前後左右の各上縦棒３１１を架橋するように、各上縦棒３１１に棚部を設けてもよい（図示せず）。
【００１７】
また、上縦棒３１１の上端及び下縦棒３１２の下端には、ネジ作用によって出退可能なアジャスター３６，３７がそれぞれ設けられている。上縦棒３１１の上端に設けられたアジャスター３６は、クローゼットが収納される天井面に当接され、下縦棒の下端に設けられたアジャスター３７は、床面に接地される。このように、天井面と床面を利用して支柱３１を突っ張らせることで、カーテン付クローゼット１を屋内に安定的に設置することができる。
上縦棒３１１の上方部には、棒状のカーテン取付部３５が左右方向に取付られている。枠部材３（上縦棒３１１）の上下方向への伸縮に応じて、カーテン取付部３５及びカーテン取付部３５に取り付けられたカーテン２も、それに追従して上下方向に移動する。
【００１８】
図５は、本考案の支柱３１の変形例を示す一部省略側面図である。この変形例において、上縦棒３１１の上方部には、突起部３１４が設けられており、前記突起部３１４には、棒状体からなるカーテン取付部３５を嵌入可能な嵌入孔３１５が設けられている。カーテン取付部３５は、左右の上縦棒３１１，３１１に設けられた前記嵌入孔３１５に、その両端部を嵌入させ、且つ、前記両端部に対して前記嵌入孔よりも大径の係止部材（ナットなど）を取り付けることで、前記突起部３１４に取り付けられる。
変形例に係る支柱３１によれば、前記係止部材を取り外すだけで、カーテン取付部３５を枠部材３から取り外すことができる（カーテン取付部３５は着脱可能である）。このようにカーテン取付部３５を枠部材３から取り外すことができれば、棚部３３に大型の物品を出し入れする際に、前記カーテン取付部３５が邪魔にならない。
なお、図４及び図５に示される支柱３１においては、上縦棒３１１が下縦棒３１２の内側に挿入されているが、これに限定されず、例えば、下縦棒３１２が上縦棒３１１の内側に挿入されていてもよい。
【００１９】
本考案の枠部材３を構成する、支柱３１、棚部３３、カーテン取付部３５、間隔保持部材３２、ハンガー棒３８、及び補強部材３４などの形成材料は、クローゼットとしての強度を担保できるものであれば特に限定されず、任意の材料を用いることができる。この形成材料として、アルミニウム、鉄、銅、又は真鍮などの金属、木材又は竹材などの天然素材、ポリ塩化ビニル又はＰＥＴなどの合成樹脂などが挙げられる。枠部材３を構成する支柱３１などの形状も特に限定されず、例えば、中空又は中実の円柱状、四角柱状、帯板状、Ｌ字状などが挙げられる。一般的には、金属製の中空円柱状（丸パイプ）や帯板状のものが用いられる。
【００２０】
カーテン取付部３５に取り付けられるカーテン２は、図６に示すように、枠部材３の少なくとも上方部を覆う上カーテン部２１と、枠部材３の前面の少なくとも下方部を覆う下カーテン部２２と、を有し、上カーテン部２１と下カーテン部２２は、連結手段を介して、上カーテン部２１の下方部と下カーテン部２２の上方部が重ねられた状態で連結されている。
【００２１】
カーテン２（上カーテン部２１及び下カーテン部２２）の素材は、可撓性を有し、左右に開閉可能なものであれば特に限定されず、天然繊維又は合成繊維の織物又は編物、それら繊維の不織布、合成樹脂製シートなどを用いることができる。一般的には、また、例えば、合成樹脂シートからなるカーテンを用いることができる。好ましくは、天然繊維又は合成繊維の織物又は編物が用いられる。
【００２２】
図６に示すように、上記連結手段により、カーテン２は上カーテン部２１の下方部と下カーテン部２２の上方部が重ねられた状態を維持しつつ、上カーテン部２１の上端２１ａから下カーテン部２２の下端２２ｂまでの長さを変更できる。なお、上カーテン部２１の上端２１ａから下カーテン部２２の下端２２ｂまでの長さは、カーテン２の上下方向の長さ（カーテン２の丈）に相当する。
【００２３】
つまり、連結手段は、上カーテン部２１の下方部と下カーテン部２２の上方部が重ねられた領域（重複領域２３という）を維持しつつ、その重複領域２３の上下方向の長さＨを調整可能である。以下、重複領域２３の上下方向の長さを「重複長さ」といい、この重複長さは、上カーテン部２１と下カーテン部２２が連結手段を介して連結された状態において、上カーテン部２１の下端２１ｂから下カーテン部２２の上端２２ａまでの長さに相当する。
このように、連結手段によりカーテン２の丈（重複長さＨ）を調整できる上記カーテン２は、枠部材３の上下動に対応して、枠部材３の前面を満遍なく被覆することができる。
上カーテン部２１の下方部は、下カーテン部２２の上方部の前面側に重ねられている。
なお、反対に、下カーテン部２２の上方部が上カーテン部２１の下方部の前面側に重ねられていてもよい。
【００２４】
図６は、枠部材の前面が所定の丈のカーテンによって覆われた状態のクローゼットを参考的に表した正面図である。上カーテン部と下カーテン部の重複領域に、複数のドットを付している。
図６において、上カーテン部２１と下カーテン部２２からなるカーテン２は、上カーテン部２１の上端２１ａが枠部材３の上方部の上端（図示例では、カーテン取付部３５）に位置し、且つ下カーテン部２２の下端２２ｂが床面Ｇに接する又はその近傍に位置している。
【００２５】
図７は、枠部材の上方部を上方に伸ばした状態のクローゼットを参考的に表した正面図である。
図７において、図６の枠部材３の上縦棒３１１を上方に伸ばすと、カーテン２も上方向に移動するので、下カーテン部２２の下端２２ｂが床面Ｇから離れる。そのため、枠部材３の前面を被覆するに必要なカーテン２の丈が不足し、枠部材３の前面の下方部が露出する。
【００２６】
図８は、カーテンの丈を伸ばした状態のクローゼットを参考的に表した正面図である。
図８において、連結手段によって重複長さＨを短くすることによって、カーテン２の丈が伸ばされ、下カーテン部２２の下端２２ｂが床面Ｇに接する又はその近傍に位置し、図７において露出した枠部材３の前面の下方部を、カーテン２にて被覆できる。
なお、図６の状態から枠部材３の上方部を縮めた場合には、下カーテン部２２の下端２２ｂが床面Ｇ上に垂れるので、連結手段によって重複長さＨを長くすることによって、カーテン２の丈を短くすればよい（図示せず）。
【００２７】
このように、本考案のカーテン２は、枠部材３の伸縮に対応して、その丈を調整することができる。そのため、枠部材３を伸ばした際、その前面を被覆するカーテン２の長さが足りないという問題が生じず、且つ、枠部材３を縮めた場合でも、カーテン２の下方部が床面に垂れるという問題が生じない。
【００２８】
上記連結手段は、重複領域２３を維持しつつ、上カーテン部２１の上端２１ａから下カーテン部２２の下端２２ｂまでの長さを変更できるように、上カーテン部２１と下カーテン部２２を連結できる構成であれば、その具体的な構成は特に限定されない。
本実施形態では、図９及び図１０に示すように、連結手段として、帯状体と挿通部が用いられている。
図９（ａ）は、帯状体を挿通部に係止することによって上カーテン部と下カーテン部が連結された状態のカーテンの背面図であり、図９（ｂ）は、この係止を解除して上カーテン部と下カーテン部を分離させたカーテンの背面図である。
【００２９】
具体的には、連結手段は、下カーテン部２２の上端から上方向に複数延出された帯状体５１と、上カーテン部２１の面内に設けられた複数の挿通部５２と、を有する。
前記帯状体５１の下端部を含む基端部は、下カーテン部２２の上端部に縫い合わされた裏地５３に固定されており、帯状体５１の先端部を含む帯状体５１のほとんどの部分は、下カーテン部２２の上端から上方向に突出されている。
前記帯状体５１の基端部及び基端部に続く帯状体５１の中途部にかけて、雌面ファスナー領域５１１が設けられ、帯状体５１の先端部には、雄面ファスナー領域５１２が設けられている。反対に、帯状体５１の基端部などに雄面ファスナー領域を設け、且つ帯状体５１の先端部に雌面ファスナー領域を設けてもよいが、コスト面などを考慮すると、帯状体５１の基端部などに雌面ファスナー領域５１１を設け、且つ帯状体５１の先端部に雄面ファスナー領域５１２を設けることが好ましい。
【００３０】
なお、雄面ファスナー及び雌面ファスナーとしては、代表的には、マジックテープ（登録商標）を用いることができる。また、符号３５１は、上カーテン部２１をカーテン取付部３５に取り付けるための、上記吊り具を示す。
【００３１】
挿通部５２は、例えば、上カーテン部２１の後面内の一部分に左右方向に延びる帯状の裏地を、上カーテン部２１に対して部分的に接合しない部分を確保しつつ取り付けることによって構成されている。従って、挿通部５２は、前記裏地と上カーテン部２１の後面の間に形成されたリング部であり、帯状体５１の形成箇所及び形成数に対応して左右方向に複数設けられている。
前記帯状体５１を挿通部５２に挿通した後に折り返し、その折り返した帯状体５１の先端部の雄面ファスナー領域５１２を、帯状体５１の基端部及び中途部に存する雌面ファスナー領域５１１に係合することにより、帯状体５１を介して上カーテン部２１と下カーテン部２２が連結されている。
【００３２】
詳しくは、図１０（ａ）に示すように、下カーテン部２２から上方向に延出された各帯状体５１を、上カーテン部２１の各挿通部５２にそれぞれ挿通する。そして、挿通部５２に挿通された帯状体５１を、図１０（ｂ）に示すように、その先端部が基端部に重なり合うように、挿通部５２にて折り返す。帯状体５１の基端部及び中途部には、雌面ファスナー領域５１１が設けられているので、前記折り返しによって、雄面ファスナー領域５１２と雌面ファスナー領域５１１が係合し、上カーテン部２１と下カーテン部２２が連結される。
【００３３】
そして、全ての帯状体５１の折り返し長さを同一にすることにより、上カーテン部２１の上端２１ａと下カーテン部２２の上端２２ａが略平行となって一体化された、本考案のカーテン２が得られる。
なお、図１０（ａ）及び（ｂ）において、雌面ファスナー領域５１１に、複数の太ドットを密に付し、雄面ファスナー領域５１２に、複数の太ドットを粗く付している。
【００３４】
また、雄面ファスナー領域５１２と雌面ファスナー領域５１１の係合を解除し、帯状体５１の折り返し長さを変更することにより、重複長さＨの長さを変更できる。帯状体５１の折り返し長さを長くすると、重複長さＨの長さが長くなるので、その状態で雄面ファスナー領域５１２と雌面ファスナー領域５１１を係合することにより、カーテン２の丈を短くできる。一方、その折り返し長さを短くすると、重複長さＨの長さが短くなるので、カーテン２の丈を長くできる。
【００３５】
本考案のカーテン付クローゼット１は、従来のものと同様に、枠部材３内に物品を収納し、カーテン２を開閉して使用される。
本考案のカーテン付クローゼット１は、枠部材３の前面の上方部及び下方部をそれぞれ被覆する上カーテン部２１及び下カーテン部２２が連結手段を介して連結されている。
このため、枠部材３の下方部にカーテン取付部を設けなくても、１つのカーテン取付部３５のみに開閉可能なカーテン２を取り付けることができる。よって、枠部材３内の物品を出し入れする際に、カーテン取付部が邪魔にならず、物品を容易に出し入れできる。
【００３６】
また、カーテン付クローゼット１は、連結手段によってカーテン２の丈を長く或いは短くできるので、枠部材３の高さにの変更に応じて、カーテン２の丈を容易に変更できる。
このように本考案のカーテン付クローゼット１は、枠部材３の上方部を上下動した場合でも、それに応じてカーテン２の丈を簡単に変更できるので、枠部材３の前面をカーテン２によって過不足なく覆うことができる。
かかるカーテン付クローゼット１は、枠部材３の高さを変更しても、その枠部材３の前面全体をカーテン２によって良好に覆うことができる。
【００３７】
本考案のカーテン付クローゼットは、上記実施形態に限定されず、本考案の意図する範囲で適宜設計変更できる。
以下、本考案のカーテン付クローゼットの様々な他の実施形態を説明するが、上記実施形態と同様の構成及び効果についてはそれらの説明を省略し、用語及び符号をそのまま援用する場合がある。
【００３８】
上記実施形態においては、連結手段は、上カーテン部２１及び下カーテン部２２の後面側に設けられているが、これに代えて、連結手段を上カーテン部２１及び下カーテン部２２の前面側に設けることもできる。もっとも、良好な外観を有することから、前記連結手段は、上記実施形態のように、上カーテン部２１及び下カーテン部２２の後面側に設けられていることが好ましい。
【００３９】
図１１〜図１５は、本考案のクローゼットに使用できるカーテンの様々な実施形態を示している。
図１１において、上カーテン部２１は、その後面の上方部に縫い合わされた裏地６１と、前記裏地６１に上端部が固定された帯状体６２と、を有する。帯状体６２のほとんどの部分は、裏地６１の下方に延出されており、帯状体６２の先端には、バックル６３が設けられている。また、下カーテン部２２は、その後面の上端部に縫い合わされた裏地６４と、前記裏地６４に下端部が固定された帯状体６５と、を有する。帯状体６５のほとんどの部分は、下カーテン部２２の上端２２ａから上方に延出されており、帯状体６５の面内には、上下方向に所定間隔を開けて複数のベルト穴６５１が穿設されている。
【００４０】
帯状体６５のベルト穴６５１に、帯状体６２のバックル６３を係入することにより、上カーテン部２１と下カーテン部２２が連結される。そして、バックル６３のベルト穴６５１に対する係入位置を変更することにより、カーテン２の丈を変更できる。
【００４１】
図１２のカーテン２においては、図１１と同様に、帯状体６２及び帯状体６５が上カーテン部２１と下カーテン部２２の連結手段を構成している。図１２のカーテン２は、バックル６３に代えて、帯状体６２の先端にコキ６３１が設けられ、且つ帯状体６５にはベルト穴が設けられていない。帯状体６２のコキ６３１に、帯状体６５を所定の位置で固定することにより、上カーテン部２１と下カーテン部２２が連結される。また、帯状体６５のコキ６３１に対する取付位置を変更することにより、カーテン２の丈を変更できる。
【００４２】
図１３において、上カーテン部２１は、その後面に縫い合わされた裏地６６と、その裏地６６に穿設された複数のフック穴６６１と、を有する。フック穴６６１は、上下方向に所定間隔を開けて並設されている。下カーテン部２２は、その後面の上端部に縫い合わされた裏地６４と、前記裏地６４に下端部が固定された帯状体６５と、を有する。帯状体６５のほとんどの部分は、下カーテン部２２の上端２２ａから上方に延出されており、帯状体６５の先端には、Ｓ字状のフック６７が設けられている。
このＳ字状のフック６７を、フック穴６６１に係入することにより、上カーテン部２１と下カーテン部２２が連結される。また、フック６７のフック穴６６１への係入位置を変更することにより、カーテン２の丈を変更できる。
【００４３】
図１４において、上カーテン部２１は、その後面に縫い合わされた裏地６６と、その裏地６６に設けられた複数のボタン６８と、を有する。ボタン６８は、上下方向に所定間隔を開けて並設されている。下カーテン部２２は、その後面の上端部に縫い合わされた裏地６４と、前記裏地６４に下端部が固定された帯状体６５と、を有する。帯状体６５のほとんどの部分は、下カーテン部２２の上端２２ａから上方に延出されており、帯状体６５の面内には、上下方向に所定間隔を開けて複数のボタン穴６５２が穿設されている。
ボタン６８を帯状体６５のボタン穴６５２に嵌めることにより、上カーテン部２１と下カーテン部２２が連結される。そして、ボタン６８のボタン穴６５２に対する嵌め位置を変更することにより、カーテン２の丈を変更できる。
【００４４】
図１５において、上カーテン部２１の後面の下方部には、雌面ファスナー領域７１が設けられており、下カーテン部２２の前面の上端部には、雄面ファスナー領域７２が設けられている。面積の小さい雄面ファスナー領域７２を、比較的大面積の雌面ファスナー領域７１の適宜な位置に係合することにより、上カーテン部２１と下カーテン部２２が連結される。また、雄面ファスナー領域７２の雌面ファスナー領域７１に対する取付位置を変更することにより、カーテン２の丈を変更できる。
【００４５】
なお、図１１〜１４に表される他の実施形態においては、連結手段は、上カーテン部２１及び下カーテン部２２の後面に設けられているが、これらの前面に設けてもよい。
さらに、上記各実施形態において、上カーテン部２１及び下カーテン部２２の後面には、適宜な箇所に裏地が設けられているが、裏地は必ずしも設けられていなければならないものではない。
【００４６】
また、上記実施形態では、本考案のカーテン付クローゼットを部屋の床面上に設置する使用方法を例示したが、本考案のカーテン付クローゼットの設置場所は、部屋に限られず、例えば、押入、住宅のビルトイン収納室、大きな家具の中の空きスペースなどの各種のスペースに設置することができる。カーテン付クローゼットを押入などのスペースに設置する場合には、そのスペースの大きさや立体形状に応じて、カーテン付クローゼットの大きさ、形状及び構造などは、本考案の意図する範囲で設計される。
【符号の説明】
【００４７】
１…カーテン付クローゼット、２…カーテン、２１…上カーテン部、２２…下カーテン部、２３…重複領域、３…枠部材、３１…支柱、３１１…上縦棒、３１２…下縦棒、３３…棚部、３５…カーテン取付部、５１…帯状体、５１１…雌面ファスナー領域、５１２…雄面ファスナー領域、５２…挿通部
【図１】
0003169846.tif 000003
【図２】
0003169846.tif 000004
【図３】
0003169846.tif 000005
【図４】
0003169846.tif 000006
【図５】
0003169846.tif 000007
【図６】
0003169846.tif 000008
【図７】
0003169846.tif 000009
【図８】
0003169846.tif 000010
【図９】
0003169846.tif 000011
【図１０】
0003169846.tif 000012
【図１１】
0003169846.tif 000013
【図１２】
0003169846.tif 000014
【図１３】
0003169846.tif 000015
【図１４】
0003169846.tif 000016
【図１５】
0003169846.tif 000017